(57)【要約】【課題】一つの駆動軸に装着されたものでありながら、その周速に差を持たせることができ、シートサイズに応じた斜め排出を行うことができる自動原稿送り装置及び画像形成装置を提供する。【解決手段】上下２段のトレイ１１，１２の間に配置された一つの駆動軸２１に駆動ローラ２２Ｂ，２２Ａ，２４Ａ，２４Ｂが設けられ、従動ローラ２９，３０，３１が駆動ローラ２２Ｂ，２２Ａ，２４Ａ，２４Ｂに当接され、駆動ローラ２２Ｂ，２４Ｂを利用してシートＳを下段トレイ１２に排出する際には従動ローラ２９，３０と駆動ローラ２２Ａ，２４Ａとの当接状態がアクチュエータ部材２６により解除される。【選択図】      図２
2008044703.tif 000002
【特許請求の範囲】
【請求項１】
少なくとも上下２段のトレイと、該上下２段のトレイの間に配置された一つの駆動軸と、該駆動軸に設けられた駆動ローラと、該駆動ローラに当接する従動ローラとを備え、前記上段トレイから供給されたシートを前記駆動ローラと前記従動ローラとのニップによって前記下段トレイへと排出する自動原稿送り装置において、
前記駆動ローラは、前記シートの搬送方向と直交するシート幅方向に接近状態で離間した一対の小シート用小径部及び小シート用大径部と、該小シート用小径部及び小シート用大径部を挟むように離間し且つ前記小シート用各径部とシート幅方向の同方向で大小関係にある一対の大シート用小径部及び大シート用大径部とを備え、
前記従動ローラは、前記各大小径部に独立して当接するように複数備え、
前記各従動ローラのうち、前記大シート用小径部及び大シート用大径部を利用してシートを前記下段トレイに排出する際には、前記小シート用小径部及び小シート用大径部に対する前記従動ローラとの当接状態を解除する解除スイッチを備えていることを特徴とする自動原稿送り装置。
【請求項２】
前記小シート用小径部に対する前記小シート用大径部の径倍率を前記大シート用小径部に対する前記大シート用大径部の径倍率以上としたことを特徴とする請求項１に記載の自動原稿送り装置。
【請求項３】
前記小シート用小径部に対する前記小シート用大径部の周速倍率を前記大シート用小径部に対する前記大シート用大径部の周速倍率以上としたことを特徴とする請求項１に記載の自動原稿送り装置。
【請求項４】
前記小シート用小径部に対する前記大シート用小径部の径倍率又は周速倍率が１：１であることを特徴とする請求項２又は請求項３に記載の自動原稿送り装置。
【請求項５】
前記各小径部と前記各大径部とが独立したローラであることを特徴とする請求項１乃至請求項４の何れか一つに記載の自動原稿送り装置。
【請求項６】
前記小シート用小径部と前記小シート用大径部とは一つの截頭円錐形状のローラであり、前記大シート用小径部と前記大シート用大径部とが独立したローラであることを特徴とする請求項１乃至請求項４の何れか一つに記載の自動原稿送り装置。
【請求項７】
前記各径部が一つのローラから構成されていることを特徴とする請求項１乃至請求項４の何れか一つに記載の自動原稿送り装置。
【請求項８】
請求項１乃至請求項７の何れか一項に記載の自動原稿送り装置を備えていることを特徴とする画像形成装置。
【発明の詳細な説明】
【技術分野】
【０００１】
本発明は、複写機・ファクシミリ・スキャナ等の専用機或いはこれらの機能を備えた複合機等の画像形成装置に搭載可能な自動原稿送り装置及びこの自動原稿送り装置を搭載した画像形成装置に関する。
【背景技術】
【０００２】
従来、複写機・ファクシミリ・スキャナ等の専用機或いはこれらのスキャナ機能を備えた複合機等には、原稿を自動的に読み取るために装置本体に搭載可能な自動原稿送り装置が周知である。
【０００３】
図１０及び図１１は、このような自動原稿送り装置の一例を示し、図１０は自動原稿送り装置を搭載した画像形成装置としての複合機の平面図、図１１は自動原稿送り装置の側面図である。
【０００４】
図において、４０は画像形成装置としての複合機、４１は複合機４０の装置本体、４２は装置本体４１の上部に搭載された自動原稿送り装置である。
【０００５】
この自動原稿送り装置４２は、少なくとも上下二段のトレイ４３，４４を備え、上段トレイ４３から供給されたシートＳが上段トレイ４３と下段トレイ４４との間の排出口４５の近傍に配置された駆動ローラ４６と従動ローラ４７とのニップによって排出口４５から下段トレイ４４へと排出される。
【０００６】
上段トレイ４３は、シートＳを載置セットする際、複合機４０の最大能力サイズのシートＳの載置が可能となっていると共に必要以上にシートＳがはみ出さないように面積設定がなされている。また、上段トレイ４３は、下段トレイ４４に排出されたシートＳの取出しが容易となるように、上述した上段トレイ４３上のシートＳのはみ出しを考慮しつつ、平面視異形に形成されている。
【０００７】
しかしながら、上段トレイ４３を最大シートサイズに合わせた面積・形状とすると、図１０に示すように、比較的小サイズのシートＳを処理した場合、下段トレイ４４に排出されたシートＳが上段トレイ４３に隠れてしまって見えづらく、例えば、複合機４０の複写機モードを利用した際に、複写処理後（画像形成処理後）のシート（図示せず）の取り出しは行うものの、下段トレイ４４に排出されたシートＳは取り忘れてしまうなどの問題が生じていた。
【０００８】
そこで、特許文献１に開示の技術のように、下段トレイ４４に排出されるシートＳを斜めに排出することが考えられる。
【０００９】
この特許文献１に開示の斜め排出は、左右一対の駆動ローラを独立した駆動装置を用いて回転させ、その左右の駆動ローラの回転量の差によってシートの斜め排出を可能とするものである。
【特許文献１】特開平０７−２５７７９９号公報
【発明の開示】
【発明が解決しようとする課題】
【００１０】
ところが、上記の如く構成されたシートＳの斜め排出機構を自動原稿送り装置４２に適用した場合、サイズの小さいシートＳの斜め搬送を考慮した場合、左右一対の駆動ローラは比較的接近した状態で設ける必要がある一方、サイズの大きいシートＳを排出する際には、サイズの小さいシートＳの斜め搬送の状態と同じ回転量（回転速度）で排出したのでは、シートＳの排出方向の長さが長いことと相俟って、駆動ローラよりも搬送方向上流側に位置するシートＳの一部が徐々に斜め搬送されると共にその搬送方向に対する傾斜角度が大きく振れることとなり、自動原稿送り装置４２の内部駆動機器等に当たってしまうなどの不具合が発生してしまうばかりでなく、シートＳのサイズや排出速度等に応じた駆動制御を行う必要が生じて複雑な制御を強いられてしまうという問題が生じていた。
【００１１】
そこで、本発明は、上記事情を考慮し、一つの駆動軸に装着されたものでありながら、その周速に差を持たせることができ、シートサイズに応じた斜め排出を行うことができる自動原稿送り装置及び画像形成装置を提供することを目的とする。
【課題を解決するための手段】
【００１２】
本発明の自動原稿送り装置は、少なくとも上下２段のトレイと、該上下２段のトレイの間に配置された一つの駆動軸と、該駆動軸に設けられた駆動ローラと、該駆動ローラに当接する従動ローラとを備え、前記上段トレイから供給されたシートを前記駆動ローラと前記従動ローラとのニップによって前記下段トレイへと排出する自動原稿送り装置において、前記駆動ローラは、前記シートの搬送方向と直交するシート幅方向に接近状態で離間した一対の小シート用小径部及び小シート用大径部と、該小シート用小径部及び小シート用大径部を挟むように離間し且つ前記小シート用各径部とシート幅方向の同方向で大小関係にある一対の大シート用小径部及び大シート用大径部とを備え、前記従動ローラは、前記各大小径部に独立して当接するように複数備え、前記各従動ローラのうち、前記大シート用小径部及び大シート用大径部を利用してシートを前記下段トレイに排出する際には、前記小シート用小径部及び小シート用大径部に対する前記従動ローラとの当接状態を解除する解除スイッチを備えていることを特徴とする。
【００１３】
この際、前記小シート用小径部に対する前記小シート用大径部の径倍率を前記大シート用小径部に対する前記大シート用大径部の径倍率以上とするか、前記小シート用小径部に対する前記小シート用大径部の周速倍率を前記大シート用小径部に対する前記大シート用大径部の周速倍率以上とするのが好ましい。
【００１４】
尚、前記小シート用小径部に対する前記大シート用小径部の径倍率又は周速倍率が１：１であってもよい。
【００１５】
また、前記各小径部と前記各大径部とが独立したローラであっても良い。
【００１６】
また、前記小シート用小径部と前記小シート用大径部とは一つの截頭円錐形状のローラであり、前記大シート用小径部と前記大シート用大径部とが独立したローラであっても良い。
【００１７】
さらに、前記各径部が一つのローラから構成されていても良い。
【００１８】
このような構成とすれば、排出シートを斜めに排出することができると共に、サイズの大きいシートを排出する際には、シートＳの搬送方向に対する傾斜角度を小さくすることができる。
【発明の効果】
【００１９】
本発明の自動原稿送り装置によれば、一つの駆動軸に装着されたものでありながら、その周速に差を持たせることができ、シートサイズに応じた斜め排出を行うことができる。
【発明を実施するための最良の形態】
【００２０】
次に、本発明の一実施形態に係る自動原稿送り装置及び画像形成装置について、図面を参照して説明する。
【００２１】
（画像形成装置の全体構成）
図１は本発明の一実施形態に係る自動原稿送り装置を搭載した画像形成装置としての複合機の斜視図、図２は本発明の一実施形態に係る自動原稿送り装置を搭載した画像形成装置としての複合機の平面図、図３は本発明の一実施形態に係る自動原稿送り装置の要部の拡大断面図、図４は本発明の一実施形態に係る自動原稿送り装置の要部の拡大平面図である。
【００２２】
図１に示すように、画像形成装置としての複合機１は、装置本体２の上部側面に設けられたメインスイッチ３と、装置本体２の前面から引き出し可能な複数段の用紙トレイユニット４，５，６と、装置本体２の側面から開閉可能な手差し用紙トレイ７と、複写機・ファクシミリ・スキャナとして原稿を読み取る際の自動原稿送り装置（以下、「ＡＤＦ」と称する）８と、表示画面９を有すると共に各種機能等の設定・選択操作を行う操作部１０とを備えている。
【００２３】
尚、この複合機１の形状や構成・機能等は図示例のものに限定されるものではない。また、例えば、ソーター等のオプション機器等の設置を妨げるものではない。
【００２４】
操作部１０は、図２に示すように、表示画面９に隣接して複合機１の各種機能（複写機能、プリンタ機能、スキャナ機能、ファクシミリ機能）の選択、複写部数・拡大縮小率・相手先電話番号等の数値入力、複写機能やファクシミリ機能の実行（画像形成開始）のスタート等を操作するための各種スイッチが設けられている。
【００２５】
ＡＤＦ８は、図３に示すように、少なくとも上下二段のトレイ１１，１２と、上段トレイ１１から供給されたシートＳを搬送する搬送部１３と、この搬送部１３を覆うカバー１４とを備えている。
【００２６】
搬送部１３は、上段トレイ１１にセットされた原稿となるシートＳの最上位のものから順次取り出す送り出しローラ１５と、図示を略する読取部へとシートＳを折り返す折り返しドラム１６と、読取部でシートＳを読み取る際に折り返しドラム１６の形状に起因するシートＳの撓みを矯正する読取ガイド１７と、折り返しドラム１６の外周に当接するように読取ガイド１７のシート搬送方向前後に配置されて折り返しドラム１６と協働してシートＳを搬送する搬送ローラ１８，１９と、シートＳを下段トレイ１２に向けて斜め排出するための排出ローラユニット２０とを備えている。
【００２７】
排出ローラユニット２０は、シートＳの排出方向と直交するシート幅方向に沿って延びる一つの駆動軸２１と、この駆動軸２１に操作部１０側から順に設けられた複数の駆動ローラ２２Ｂ，２２Ａ，２３，２４Ａ，２４Ｂと、駆動軸２１と平行な回転軸２５と、回転軸２５の操作部１０とは反対側の端部寄りに設けられたアクチュエータ部材２６と、回転軸２５の中央寄りに設けられた一対のアーム２７，２８と、アーム２７，２８の先端に回転可能に設けられた従動ローラ２９，３０と、この従動ローラ２９，３０とは別に図示を略する軸部材を介してカバー１４等に保持された従動ローラ３１とを備えている。
【００２８】
駆動ローラ２２Ａ，２３，２４Ａは、図４に示すように、駆動ローラ２３を中心とする間隔Ｗ１の範囲に均等間隔で配置されている。この間隔Ｗ１は、例えば、シートＳの搬送可能な最小サイズがＡ５（縦）に対応している。
【００２９】
また、駆動ローラ２２Ｂ，２４Ｂは、図４に示すように、駆動軸２１の略両端寄りに位置しており、駆動ローラ２２Ａ，２３，２４Ａを挟むように駆動ローラ２３を中心とする間隔Ｗ２の範囲に均等間隔で配置されている。この間隔Ｗ２は、例えば、シートＳの搬送可能な最小サイズがＢ４（縦）以上に対応している。
【００３０】
これにより、駆動ローラ２２Ａ，２４ＡはシートＳの搬送方向と直交するシート幅方向に接近状態で離間した中央付近にそれぞれ対向配置された一対の小シート用大径部及び小シート用小径部とされ、駆動ローラ２２Ｂ，２４Ｂはこの小シート用大径部（駆動ローラ２４Ａ）及び小シート用小径部（駆動ローラ２２Ａ）を挟むように離間した大シート用大径部（駆動ローラ２４Ｂ）及び大シート用小径部（駆動ローラ２２Ｂ）とされている。
【００３１】
ここで、各駆動ローラ２２Ａ，２２Ｂ，２３，２４Ａ，２４Ｂは、例えば、小シート用小径部としての駆動ローラ２２Ａの直径Ｄ１の径倍率を基準値である“１”とした場合、小シート用大径部としての駆動ローラ２４Ａの直径Ｄ３の径倍率は“３”に設定され、駆動ローラ２３と大シート用小径部としての駆動ローラ２２Ｂの直径Ｄ２の径倍率は“２”に設定され、大シート用大径部としての駆動ローラ２４Ｂの直径Ｄ３の径倍率は“３”に設定されている。
【００３２】
従って、小シート用小径部としての駆動ローラ２２Ａの直径Ｄ１に対する小シート用大径部としての駆動ローラ２４Ａの直径Ｄ３は３倍に設定され、大シート用小径部としての駆動ローラ２２Ｂの直径Ｄ２に対する大シート用大径部としての駆動ローラ２４Ｂの直径Ｄ３は１．５倍に設定されている。
【００３３】
即ち、Ｄ１：Ｄ３＝３倍、Ｄ２：Ｄ３＝１．５倍（共に逆数）に設定されており、小シート用小径部としての駆動ローラ２２Ａに対する小シート用大径部としての駆動ローラ２４Ａの径倍率（３倍）は大シート用小径部としての駆動ローラ２２Ｂに対する大シート用大径部としての駆動ローラ２４Ｂの径倍率（１．５倍）以上に設定されている。
【００３４】
これにより、小シート用小径部としての駆動ローラ２２Ａに対する小シート用大径部としての駆動ローラ２４Ａの周速倍率も大シート用小径部としての駆動ローラ２２Ｂに対する大シート用大径部としての駆動ローラ２４Ｂの周速倍率以上となる。
【００３５】
尚、駆動ローラ２３の直径Ｄ２を含めて図４の図示下方から順に配置された各駆動ローラ２２Ｂ，２２Ａ，２３，２４Ａ，２４Ｂの径倍率を、Ｄ２：Ｄ１：Ｄ２：Ｄ３：Ｄ３＝２：１：２：３：３とし、駆動ローラ２３を駆動ローラ２２Ｂの直径Ｄ２と同じ径倍率としているが、この駆動ローラ２３は少なくとも隣接する小シート用の駆動ローラ２２Ａ，２４Ａの間にあってこの駆動ローラ２２Ａ，２４Ａの径倍率の間の直径であれば機能的に満足するため、以下の説明における各駆動ローラ２２Ｂ，２２Ａ，２３，２４Ａ，２４Ｂの径倍率においては、その説明を省略し、例えば、上述の場合、Ｄ２：Ｄ１：Ｄ２：Ｄ３：Ｄ３との表記等では、Ｄ２：Ｄ１：※：Ｄ３：Ｄ３、或いは、２：１：※：３：３のように、※で省略する。
【００３６】
この際、以下の説明における径倍率の順序は、図４の図示下方から順に配置された各駆動ローラ２２Ｂ，２２Ａ，２３，２４Ａ，２４Ｂの順とする。
【００３７】
また、上述した径倍率は、例えば、Ｄ２：Ｄ１：※：Ｄ３：Ｄ３＝２：１：※：４：４のように、小シート用小径部としての駆動ローラ２２Ａに対する小シート用大径部としての駆動ローラ２４Ａの径倍率が大シート用小径部としての駆動ローラ２２Ｂに対する大シート用大径部としての駆動ローラ２４Ｂの径倍率以上に設定されていれば良く、しかも、上述した直径比は整数に限定されるものではない。
【００３８】
アクチュエータ部材２６は、Ｂ４（縦）サイズ以上のシートＳが搬送されてきた場合に、そのシートＳと当接することにより回転軸２５を回転させる。
【００３９】
従動ローラ２９，３０は、スポンジ（発泡ウレタンやナイロン樹脂）等の比較的軽い素材から構成されており、常時は駆動ローラ２２Ａ，２４Ａに当接している。
【００４０】
上記の構成において、上段トレイ１１から供給されたシートＳは、折り返しドラム１６と搬送ローラ１８，１９とのニップによって折り返し搬送される際に読取部で読み取られ、その読み取り情報に基づいて複写機能やファクシミリ機能としての画像形成処理が実行される。
【００４１】
また、画像読み取り後のシートＳは、上段トレイ１１と下段トレイ１２との間に配置された排出ローラユニット２０によって下段トレイ１２へと斜め排出される。
【００４２】
以下、複合機１における主な機能形態を説明する。
【００４３】
（複写機能）
複合機１は、ＡＤＦ８に読み取り原稿（シートＳ）をセットして、又はＡＤＦ８を回動式に持ち上げて原稿載置読取部１７上に原稿をセットして読み取った画像データに基づいて、予め操作部１０を用いて設定した設定条件に応じた印刷処理（画像形成処理）を行う。
【００４４】
（プリンタ機能）
複合機１は、図示を略するパーソナルコンピュータ等とケーブル接続（無線又は有線のネットワークＬＡＮ接続を含む）されており、そのパーソナルコンピュータ等から出力した印刷指令データに含まれる画像データに基づいて所定の印刷処理（画像形成処理）を行う。この際、画像形成処理のための各種設定（例えば、拡大・縮小・集約等や印刷部数等）は、パーソナルコンピュータ（ネットワークサーバーを含む）等にインストールされた複合機１用のプリンタドライバを利用して設定され、これらの各種設定に係わるデータが印刷指令データの一部として含まれている。
【００４５】
（スキャナ機能）
複合機１は、図示を略するパーソナルコンピュータ等とケーブル接続（無線又は有線のネットワークＬＡＮ接続を含む）されており、ＡＤＦ８に読み取り原稿をセットして、又はＡＤＦ８を回動式に持ち上げて原稿載置読取部１７上に読み取り原稿をセットして読み取った画像データをケーブル接続されたパーソナルコンピュータ等に出力する。この際、画像形成処理のための各種設定（例えば、解像度等）は、パーソナルコンピュータ（ネットワークサーバーを含む）等にインストールされた複合機１用のスキャナドライバを利用してパーソナルコンピュータ（ネットワークサーバーを含む）等で設定される。尚、装置本体２の操作部１０で設定することも可能である。
【００４６】
（ファクシミリ機能）
複合機１は、ＡＤＦ８に読み取り原稿をセットして、又はＡＤＦ８を回動式に持ち上げて原稿載置読取部１７上に読み取り原稿をセットして読み取った画像データを、操作部１０で操作・指定した相手先にファクシミリ回線を通じてファクシミリ送信する。また、ファクシミリ回線を通じて受信した受信データに含まれる画像データに基づいて印刷処理（画像形成処理）を行う。この際、画像形成処理のための各種設定（例えば、送信先設定等）は、操作部１０での操作・指定の他、パーソナルコンピュータ（ネットワークサーバーを含む）等にインストールされた複合機１用のファクシミリドライバ（又はプリンタドライバ）を利用して設定される。従って、パーソナルコンピュータ等によるファクシミリ機能を利用することも可能である。尚、ファクシミリ回線を通じて相手先から受信した受信データには、相手先電話番号や用紙サイズ、送信枚数等に係わるデータが含まれている。
【００４７】
（ＡＤＦ８の具体的機能）
上述した各種機能において、複写機能時やスキャナ機能時（ファクシミリ送信のためのスキャンを含む）において、規格サイズのシートＳをＡＤＦ８を利用して自動原稿送りを行う場合、例えば、シートＳがＡ５（縦）、Ｂ５（縦）、Ａ４（縦）のような比較的小さいサイズであった場合には、そのシートＳは駆動ローラ２２Ａと従動ローラ２９及び駆動ローラ２４Ａと従動ローラ３０とにそれぞれニップされ、駆動ローラ２２Ａの直径Ｄ１と駆動ローラ２４Ａの直径Ｄ３の径倍率の差に起因する周速差によってシートＳが斜め搬送される。
【００４８】
これに対し、例えば、シートＳがＢ４（縦）及びＡ３（縦）のような比較的大きいサイズであった場合には、そのシートＳはアクチュエータ部材２６と接触することによって回転軸２５が回転すると同時にアーム２７，２８が図３の図示上方へと回動し、駆動ローラ２２Ａに対する従動ローラ２９の当接状態及び駆動ローラ２４Ａに対する従動ローラ３０の当接状態がそれぞれ解除される。
【００４９】
これにより、駆動ローラ２２Ｂと従動ローラ３１及び駆動ローラ２４Ｂと従動ローラ３１とにシートＳがそれぞれニップされ、駆動ローラ２２Ｂの直径Ｄ２と駆動ローラ２４Ｂの直径Ｄ３の径倍率の差に起因する周速差によってシートＳが斜め搬送される。
【００５０】
このように、サイズの小さいシートＳを排出する際にはシートＳの搬送方向に対する排出傾斜角度を大きくすることができ、サイズの大きいシートＳを排出する際にはシートＳの搬送方向に対する排出傾斜角度を小さくすることができる。また、サイズの大きいシートＳは排出傾斜角度が小さいことから、ＡＤＦ８の内部駆動機器等にシートＳが当たってしまうなどの不具合が発生することを防止することができる。
【００５１】
尚、駆動軸２１のシート幅方向中心に配置された駆動ローラ２３は、シートＳのサイズに関わりなく搬送中のシートＳの幅方向略中央と接触し、各駆動ローラ２２Ａ，２４Ａ，２２Ｂ，２４Ｂと従動ローラ２９，３０，３１，３１とのニップ時のシートＳのシート幅方向の撓みを抑制するためのものである。
【００５２】
また、小シートサイズ用の駆動ローラ２２Ａと駆動ローラ２４Ａとは搬送するシートＳのシート幅方向中心を基準に等間隔に離間した間隔Ｗ１とされ、大シートサイズ用の駆動ローラ２２Ｂと駆動ローラ２４Ｂとは搬送するシートＳのシート幅方向中心を基準に等間隔に離間した間隔Ｗ２とされている。
【００５３】
これにより、シートＳは、その搬送方向中心を基準として傾斜排出されるため、シートＳのサイズに関わりなく、そのシートＳの搬送方向中心が駆動軸２１のシート幅方向中心を通る規格に適している。
【００５４】
これに対し、シートＳのサイズに関わりなく、シートＳの搬送方向に沿う１辺を基準とした排出を行う場合には、小シートサイズ用の駆動ローラ２２Ａと駆動ローラ２４Ａとは小さい規格（Ａ５（縦）〜Ａ４（縦））と分類した中での最小サイズ（例えば、Ａ５（縦））の搬送方向中心を基準に等間隔に離間した間隔Ｗ１とされ、大シートサイズ用の駆動ローラ２２Ｂと駆動ローラ２４Ｂとは大きい規格（Ｂ４（縦）〜Ａ３（縦））と分類した中での最小サイズ（例えば、Ｂ４（縦））の搬送方向中心を基準に等間隔に離間した間隔Ｗ２とされる。
【００５５】
この際、解除スイッチとしてのアクチュエータ部材２６は、シートＳの搬送方向に沿う１辺とはシート幅方向反対側の１辺寄りに配置される。
【００５６】
ところで、上記実施の形態では、シートＳが大サイズか小サイズかを検出する解除スイッチとしてアクチュエータ部材２６を用い、シートＳの通過によって駆動ローラ２２Ａ，２４Ａ，と従動ローラ２９，３０とのニップを解除する構成を開示したが、例えば、上段トレイ１１には、セットされたシートＳのサイズを検出する原稿サイズ検出センサを設けているものが周知であるため、この周知の原稿サイズ検出センサの原稿サイズ検出結果に基づいて、シートサイズが大きいときには、ソレノイドや電磁コイル等を駆動させて従動ローラ２９，３０を浮かせることによってニップ状態を解除することも可能である。
【００５７】
（変形例１）
図５は本発明の一実施形態の変形例１に係る自動原稿送り装置の要部の拡大平面図である。
【００５８】
上記実施の形態では、各駆動ローラ２２Ｂ，２２Ａ，２３，２４Ａ，２４Ｂの径倍率をＤ２：Ｄ１：※：Ｄ３：Ｄ３＝２：１：※：３：３、又は、Ｄ２：Ｄ１：※：Ｄ３：Ｄ３＝２：１：※：４：４のように、特に大径部としての駆動ローラ２４Ａ，２４Ｂを同一径（Ｄ３）とし、径倍率の差を小径部としての駆動ローラ２２Ｂ，２２Ａの直径（Ｄ２，Ｄ１）に径倍率で差を持たせたものを開示したが、この変形例１では、小径部としての駆動ローラ２２Ｂ，２２Ａの直径Ｄ１を同じとし、大径部としての駆動ローラ２４Ａ，２４Ｂの直径（Ｄ３，Ｄ２）の径倍率に差を持たせたものである。
【００５９】
ところで、駆動ローラ２２Ａ，２４Ａと従動ローラ２９，３０とのニップ、又は駆動ローラ２２Ｂ，２４Ｂと従動ローラ３１，３１とのニップによるシートＳの搬送時に、シートＳが搬送方向上流側に配置された他のシート搬送手段、例えば、折り返しドラム１６と搬送ローラ１９とのニップによって下流側へとシートＳを同時に搬送している状態、即ち、シート搬送方向前後の２箇所以上にシートＳが跨って搬送されている状態では、そのシート搬送方向前後のシート搬送速度が問題となる。
【００６０】
そこで、シート搬送方向上流側の搬送速度と同速度でシートＳを搬送するように、そのシート搬送方向上流側のシート搬送速度を基準値“１”とした場合、駆動ローラ２２Ｂ，２２Ａの直径Ｄ１を基準値“１”のシート搬送速度と同速度を実現する径倍率“１”とすると共に、搬送方向上流側とで跨ってシートＳを搬送している状態ではスポンジ等で構成した従動ローラ２９，３０による滑り（特に、周速の早い大径部側の駆動ローラ２４Ａと従動ローラ３０）を発生させることで速度差を相殺することができる。
【００６１】
尚、このようなシート搬送方向前後でシートＳが跨って搬送されている場合の速度差の相殺技術としては、駆動軸２１の駆動系にトルクリミッタ等を設け、例えば、上述したシート搬送速度の基準値“１”と考慮した所定値以上のトルクが駆動軸２１に加わった場合には駆動軸２１を空回りさせる等が考えられる。
【００６２】
また、シートＳのシート搬送方向に沿うシート長（シートサイズ）によって、例えば、搬送ローラ１９をシートＳの搬送方向上流側（シート後端）が通過してから従動ローラ２９，３０，３１のニップを開始させてもよい。
【００６３】
（変形例２）
図６は本発明の一実施形態の変形例２に係る自動原稿送り装置の要部の拡大平面図である。
【００６４】
上記実施の形態並びに変形例１では、小径部としての駆動ローラ２２Ａ，２２Ｂの径倍率に実質的な差を持たせたもの（実施の形態）又は大径部としての駆動ローラ２４Ａ，２４Ｂの径倍率に実質的な差を持たせたもの（変形例１）を開示したが、この変形例２では、小径部としての駆動ローラ２２Ａ，２２Ｂ及び大径部としての駆動ローラ２４Ａ，２４Ｂに同一直径（Ｄ１，Ｄ３）のものを用いたものである。
【００６５】
即ち、小シート用の駆動ローラ２２Ａ，２４Ａの間隔Ｗ１と大シート用の駆動ローラ２２Ｂ，２４Ｂの間隔Ｗ２との差によって、小シート用としての駆動ローラ２２Ａ，２４Ａ間でのシートＳの搬送時の駆動軸２１に対する傾きと大シート用としての駆動ローラ２２Ｂ，２４Ｂ間でのシートＳの搬送時の駆動軸２１に対する傾きとに差を発生させ、この傾きの差に起因するシートＳの搬送時におけるシート回転力（斜行搬送力）に差を発生させ、小シート用と大シート用との周速差を機能的に発生させたものである。
【００６６】
（変形例３）
図７は本発明の一実施形態の変形例３に係る自動原稿送り装置の要部の拡大平面図である。
【００６７】
この図７に示したものは、変形例２に示した小シート用としての駆動ローラ２２Ａ，２４Ａは独立したローラであったのに対して、この変形例２では一つの截頭円錐形状のローラに駆動ローラ２２Ａ，２４Ａの機能を具備させ、部品点数を削減したものである。
【００６８】
（変形例４）
図８は本発明の一実施形態の変形例４に係る自動原稿送り装置の要部の拡大平面図である。
【００６９】
この図８に示したものは、変形例３に示した小シート用としての駆動ローラ２２Ａ，２４Ａを一つの截頭円錐形状のローラとして駆動ローラ２２Ａ，２４Ａの機能を具備させたが、この変形例４では、一つの異形ローラに駆動ローラ２２Ｂ，２２Ａ，２３，２４Ａ，２４Ｂを機能的に具備させて部品点数をより一層削減したものである。
【００７０】
（変形例５）
図９は本発明の一実施形態の変形例５に係る自動原稿送り装置の要部の拡大平面図である。
【００７１】
この図９に示したものは、上述した各実施の形態並びに各変形例では、シートＳが大きい場合であっても斜行搬送する構成のものを開示したが、上段トレイ１１の形状等によっては大きいサイズのシートＳは斜行搬送する必要がない場合を考慮して、小径部としての駆動ローラ２２Ｂの直径Ｄ３と大径部としての駆動ローラ２４Ｂの直径Ｄ３とを同一としたものである。
【図面の簡単な説明】
【００７２】
【図１】本発明の一実施形態に係る自動原稿送り装置を搭載した画像形成装置としての複合機の斜視図である。
【図２】本発明の一実施形態に係る自動原稿送り装置を搭載した画像形成装置としての複合機の平面図である。
【図３】本発明の一実施形態に係る自動原稿送り装置の要部の拡大断面図である。
【図４】本発明の一実施形態に係る自動原稿送り装置の要部の拡大平面図である。
【図５】本発明の一実施形態の変形例１に係る自動原稿送り装置の要部の拡大平面図である。
【図６】本発明の一実施形態の変形例２に係る自動原稿送り装置の要部の拡大平面図である。
【図７】本発明の一実施形態の変形例３に係る自動原稿送り装置の要部の拡大平面図である。
【図８】本発明の一実施形態の変形例４に係る自動原稿送り装置の要部の拡大平面図である。
【図９】本発明の一実施形態の変形例５に係る自動原稿送り装置の要部の拡大平面図である。
【図１０】従来の自動原稿送り装置を搭載した画像形成装置としての複合機の平面図である。
【図１１】従来の自動原稿送り装置の側面図である。
【符号の説明】
【００７３】
１…複合機（画像形成装置）
８…自動原稿送り装置
１１…上段トレイ
１２…下段トレイ
２１…駆動軸
２２Ａ…駆動ローラ（小シート用小径部）
２２Ｂ…駆動ローラ（大シート用小径部）
２４Ａ…駆動ローラ（小シート用大径部）
２４Ｂ…駆動ローラ（大シート用大径部）
２６…アクチュエータ部材（解除スイッチ）
２９…従動ローラ
３０…従動ローラ
３１…従動ローラ
【図１】
2008044703.tif 000003
【図２】
2008044703.tif 000004
【図３】
2008044703.tif 000005
【図４】
2008044703.tif 000006
【図５】
2008044703.tif 000007
【図６】
2008044703.tif 000008
【図７】
2008044703.tif 000009
【図８】
2008044703.tif 000010
【図９】
2008044703.tif 000011
【図１０】
2008044703.tif 000012
【図１１】
2008044703.tif 000013